(57)【要約】      （修正有）【課題】ビタミンやミネラル等の栄養素をペットに確実に摂取させることができ、取り扱いが容易なペットフード用添加栄養素の添加器具を提供する。【解決手段】ビタミンやミネラル等の栄養素をペットフードに添加して与えるためのペットフード用添加栄養素の添加器具であって、前記添加栄養素を含む栄養液体を収容する本体１０と、該本体１０に装着され、プッシュボタン２０を押すことにより、プッシュボタン２０の側面に設けられた噴出孔から前記栄養液体をミスト状に噴出させるミスト発生部とを備えていることを特徴とする。【選択図】図１
0003101652.tif 000002
【実用新案登録請求の範囲】
【請求項１】
ビタミンやミネラル等の栄養素をペットフードに添加して与えるためのペットフード用添加栄養素の添加器具であって、
前記添加栄養素を含む栄養液体を収容する本体と、
該本体に装着され、プッシュボタンを押すことにより、プッシュボタンの側面に設けられた噴出孔から前記栄養液体をミスト状に噴出させるミスト発生部とを備えていることを特徴とするペットフード用添加栄養素の添加器具。
【請求項２】
前記ミスト発生部が、前記本体に着脱自在に設けられていることを特徴とする請求項１記載のペットフード用添加栄養素の添加器具。
【考案の詳細な説明】
【技術分野】
【０００１】
本考案はペットフードにビタミンやミネラルといった必須栄養素を簡単に加えることができ、ペットが容易にペットフードとともにこれらの必須栄養素を摂取することができるペットフード用添加栄養素の添加器具に関する。
【背景技術】
【０００２】
犬あるいは猫等のペットフードには、ペレット状に形成されたドライタイプの食品や、缶詰等に密閉されて提供されるウェットタイプの食品など、さまざまな食品が提供されている。これらの食品は、栄養バランスや食味を考えて提供されているのであるが、長期間にわたってペットフードのみを食していると、どうしてもビタミンやミネラルといった必須栄養素が不足するという問題があり、ビタミンやミネラルを摂取する方法として、ペットフードを与える際にこれらの栄養素を添加物としてペットフードに混ぜて与えることがなされている。
【０００３】
従来、ペットフードにビタミンやミネラルといった必須栄養素を添加する方法としてなされている方法は、ビタミンやミネラルを含む錠剤をペットフードに混ぜて与える方法、ビタミンやミネラルを含む添加物をふりかけ状あるいは粉体状に形成してペットフードに混ぜて与える方法、ビタミンやミネラルの液体剤をペットフードにかけたり、ペットフードを入れる容器に入れておいてペットフードと混ぜて与える方法である。
【考案の開示】
【考案が解決しようとする課題】
【０００４】
ところで、ペットフードに錠剤のビタミンやミネラルを混ぜて与える場合や、ふりかけ状にして与える場合に、ペットによっては、錠剤の食味が嗜好に合わなかったり、食べにくいといったことがあり、錠剤や添加物として加えたふりかけを選り分けて、食べずに残してしまうことがある。このため、ビタミンやミネラルを十分に摂取できなくなることから、ペットフードを与える際に、ペットフードと栄養添加物とをよく混ぜ合わせて選り分けしにくくして食べさせるといったことが行われている。
【０００５】
また、ビタミンやミネラルの液体剤はチューブ状の容器等から液体を押し出して、ペットフードの上からかけるようにして使用するのであるが、この場合もペットフードとともに栄養添加物が確実に摂取されるように、ペットフードと液体剤とを混ぜ合わせる必要があり、やはり取り扱いが面倒であるという問題があった。
【０００６】
そこで、本考案はこれらの課題を解決すべくなされたものであり、その目的とするところは、ペットフードとビタミンやミネラルといった栄養添加物とを選り分けることができないようにして、確実にビタミンやミネラルの必須栄養素を摂取することができ、また、取り扱いも簡単なペットフード用添加栄養素の添加器具を提供するにある。
【課題を解決するための手段】
【０００７】
本考案は、上記目的を達成するため次の構成を備える。
すなわち、  ビタミンやミネラル等の栄養素をペットフードに添加して与えるためのペットフード用添加栄養素の添加器具であって、前記添加栄養素を含む栄養液体を収容する本体と、該本体に装着され、プッシュボタンを押すことにより、プッシュボタンの側面に設けられた噴出孔から前記栄養液体をミスト状に噴出させるミスト発生部とを備えていることを特徴とする。
また、前記ミスト発生部が、前記本体に着脱自在に設けられていることにより、随時、前記本体に栄養液体を補充して使用することができる。
【考案の効果】
【０００８】
本考案に係るペットフード用添加栄養素の添加器具は、ビタミンやミネラルといった栄養素をミスト状にしてペットフードに噴射して使用するものであり、添加栄養剤をペットフードと混ぜ合わせるといった操作が不要で、取り扱いが簡単であるとともに、栄養液体をミスト状にしてペットフードに付着させることによって、ペットフードに確実に添加栄養素を付着させることができ、ビタミンやミネラルといった栄養素を確実にペットに摂取させることができる。
【考案を実施するための最良の形態】
【０００９】
以下、本考案の好適な実施の形態について、添付図面とともに詳細に説明する。
図１は、本考案に係るペットフード用添加栄養素の添加器具の一実施形態の構成を示す外観図である。本実施形態の添加器具は、ペットフードに添加するビタミンおよびミネラルといった必須栄養素をミスト状にしてペットフードに添加できるように形成したことを特徴とする。
【００１０】
すなわち、図１において、１０は添加器具の本体であり、２０は本体１０の上部に装着されたミスト発生部の一部を構成するプッシュボタンである。本体１０はビタミンおよびミネラル等の所要の栄養素を含む栄養液体を収容する容器として形成され、本体１０の上部は徐々に縮径してその上端部にミスト発生部が脱着自在に装着される。
２２はミスト発生部のナット部であり、ナット部２２は本体１０の上部に形成されたねじ部に螺合するように設けられている。２４はミスト発生部から本体１０内に延出するチューブである。２６はプッシュボタン２０をカバーするように装着されたキャップである。キャップ２６はプッシュボタン２０の付近に雑菌が付着したりしないようにするためのものである。
【００１１】
ミスト発生部はナット部２２により本体１０にエアシールして装着され、プッシュボタン２０を押すことによって、プッシュボタン２０の側面に開口する噴出孔２１から液体をミスト状にして噴出させる。
これらのミスト発生部の構成は、液体をミスト状にして噴出させるミスト発生機構として公知の構成に係るものであり、本体１０にビタミンやミネラル等の栄養素を含む栄養液体を収容してプッシュボタン２０を操作することによって簡単に栄養液体をミスト状にして噴出させることができる。ミスト発生部は本体１０に脱着可能に設けられているから、随時、栄養液体を詰め替えて使用することができる。
なお、ビタミンおよびミネラルを含む栄養液体を収容する本体１０とミスト発生部とを一体形成し、使い捨て用として形成することももちろん可能である。
【００１２】
本実施形態の添加器具を使用する際は、添加器具からペットフードに栄養液体をミスト状に噴射して使用する。すなわち、食事用の容器にペットフードを入れた後、添加器具を用いてペットフードに栄養液体を噴射させるようにすればよい。
図２に、食事用の容器２８にペットフード３０を入れ、添加器具からペットフード３０に向けて栄養液体を噴射させている様子を示す。添加器具はプッシュボタン２０を押すだけで栄養液体を噴射させることができるから、簡単にペットフード３０にミストを付着させることができる。栄養液体のミストをペットフード３０に噴射させる方法は、ビタミンやミネラルを含む液体剤をペットフード３０と混ぜ合わせる方法とくらべてはるかに取り扱いが簡単である。
【００１３】
栄養液体をミスト状に噴射させる方法であれば、容器２８にペットフード３０を入れた状態でミストを噴射させることにより、ペットフード３０にミストを付着させることができるし、ミストの噴射方向を変えることによって、容器２８に入れられたペットフード３０の内側にもミストを進入させることができる。ミストを噴射させる方法は、液体剤をペットフードに付着させるといった方法にくらべれば、はるかに効率的にペットフード３０に栄養液体を付着させることができ、栄養液体を無駄にすることもない。
また、ペットフードに栄養液体のミストが付着することによって、ビタミンやミネラルの錠剤を使用した場合のように、栄養添加物のみ選り分けて残すこともできず、ペットがペットフードを食べるときにビタミンやミネラルを確実に摂取することができる。
【００１４】
ペットフードによっては、栄養価が高くてもペットが好まないものがある。そのようなフードの場合には、栄養液体にビタミンやミネラルの他にペットが好む味やにおいを有する原料を配合しておくことによって、食欲を増進させることができる。また、栄養液体をミスト状に噴射して摂取させる方法の場合には、ペットフードが固形のものに限らず、いろいろな種類のペットフードに対応することができるという利点がある。
【図面の簡単な説明】
【００１５】
【図１】本考案に係るペットフード用添加栄養素の添加器具の実施形態の構成を示す説明図である。
【図２】添加器具の使用状態を示す説明図である。
【符号の説明】
【００１６】
１０  本体
２０  プッシュボタン
２１  噴出孔
２２  ナット部
２６  キャップ
２８  容器
３０  ペットフード
【図１】
0003101652.tif 000003
【図２】
0003101652.tif 000004